(57)【特許請求の範囲】
【請求項１】
磁気記録媒体に記録された磁気情報を磁気ヘッドを介して読み取って再生する装置において、
電源電圧を所望の電圧に変換する第１の変圧器と、
前記第１の変圧器の近傍に配置され、前記電源電圧を待機用の電圧に変換する第２の変圧器とを備え、
前記第２の変圧器は、
前記第１の変圧器の磁界の向きと当該第２の変圧器の磁界の向きとが正反対になるように配置されることを特徴とする磁気ヘッドを有した再生装置。  
【発明の詳細な説明】
【０００１】
【発明の属する技術分野】
本発明は、磁気ヘッドを有した再生装置に係り、より詳しくは、電源電圧を待機用の電圧に変換する第２の変圧器を備え、この第２の変圧器が、第１の変圧器の磁界の向きと当該第２の変圧器の磁界の向きとが正反対になるように配置されることで、第２の変圧器が発生する磁界により、磁気ヘッドの位置で第１の変圧器が発生する磁界を減少できるようにすると共に、磁気情報に混入するノイズを小さくできるようにした磁気ヘッドを有した再生装置に関するものである。
【０００２】
【従来の技術】
従来より、磁気テープ（カセットテープ）に記録された磁気情報を磁気ヘッドを介して読み取りかつ読み取った磁気情報を再生するカセットテープレコーダ（磁気情報検出装置）には、電源電圧を所望の電圧に変換する変圧機（トランス）が内蔵されている。この変圧機は、電源電圧を所望の電圧に変換する際、磁気ヘッドの位置に到達する磁界（漏れ磁束）を発生する。この磁界は磁気ヘッドによる磁気情報の読み取りに悪影響を及ぼす。よって、読み取った磁気情報にノイズ（所謂、ハムノイズ（誘導ノイズ））が混入する。
【０００３】
このように、上記読み取った磁気情報にノイズが混入することに鑑み、上記読み取った磁気情報にノイズが混入しないように上記変圧機の向きを調整したり、漏れ磁束が発生しないようにシールド板を上記変圧機に配置したり、している。
【０００４】
【発明が解決しようとする課題】
しかしながら、上記変圧機の向きの調整はカセットテープレコーダの装置本体のデザイン上困難な場合がある。また、変圧機にシールド板を配置すると、変圧機の構成が複雑になる。
【０００５】
本発明は、上記事実に鑑みてなされたもので、磁気情報に混入するノイズの量を少なくすることの可能な磁気ヘッドを有した再生装置を提供することを目的とする。
【０００６】
【課題を解決するための手段】
上記目的達成のため請求項１記載の磁気ヘッドを有した再生装置は、磁気記録媒体に記録された磁気情報を磁気ヘッドを介して読み取って再生する装置において、電源電圧を所望の電圧に変換する第１の変圧器と、前記第１の変圧器の近傍に配置され、前記電源電圧を待機用の電圧に変換する第２の変圧器とを備え、前記第２の変圧器は、前記第１の変圧器の磁界の向きと当該第２の変圧器の磁界の向きとが正反対になるように配置されることを特徴とするものである。
【０００７】
即ち、本発明は、変圧機を備えている。この変圧機は、例えば、電源電圧を所望の電圧に変換するものである。
【０００８】
ここで、変圧器が電源電圧を所望の電圧に変換すると、上記のように第１の変圧器の磁界である第１の磁界（漏れ磁束）が発生する。この第１の磁界は、磁気情報を読み取る磁気ヘッドの位置に少なくとも一部が到達する。よって、第１の磁界により、読み取られた磁気情報にノイズが混入することがある。
【０００９】
そこで、本発明に係る第２の変圧器は、磁気ヘッドの位置における第１の磁界の大きさを減少させる第２の磁界を発生させる。即ち、第２の電界を発生する第２の変圧器を、第２の磁界により、磁気ヘッドの位置における第１の磁界の大きさが減少するように、向きを定めて配置している。
【００１０】
このように磁気ヘッドの位置に少なくとも一部が到達する第１の磁界の大きさが減少する第２の磁界を発生させるので、第１の磁界の大きさが減少し、検出された磁気情報に混入するノイズを小さくすることができる。
【００１２】
なお、磁気ヘッドの位置における第２の磁界の大きさは、磁気ヘッドの位置における第１の磁界の大きさと等しくすることが、第１の磁界の減少、即ち、磁気情報へのノイズの混入量の減少の点から好ましい。
【００１４】
【発明の実施の形態】
以下、本発明の実施の形態を図面を参照して詳細に説明する。
【００１５】
図１に示すように、本実施の形態の磁気ヘッドを有した再生装置であるカセットテープレコーダ１０には、蓋２０が開放されると露出する装填部１８を備えている。なお、蓋２０に図示しないカセットテープを装填しかつカセットテープが装填された蓋２０を閉止することにより、カセットテープが装填部１８の所定の位置に装填される。
【００１６】
また、カセットテープレコーダ１０には、装填部１８の所定の位置に装填されたカセットテープに記録された磁気情報を読み取る、本発明の検出手段としての磁気ヘッド１６が装填部１８に配置されている。
【００１７】
更に、カセットテープレコーダ１０には、カセットテープレコーダ１０の各部を駆動させるために、電源電圧を所望の電圧に変換する、本発明の変圧器としての第１の変圧器（メイントランス（メインＰ．Ｔ．）１２と、第１の変圧器１２の磁界の向きに応じて向きが定められて配置された、本発明の発生手段としての第２の変圧器（省エネ対策用のスタンバイ用（電源電圧を待機用の電圧に変換する）のサブトランス）１４と、が内蔵されている。なお、第１の変圧器１２及び第２の変圧器１４は、電源電圧を各々に応じた電圧に変換するものであり、一次側に電源電圧が印加される。
【００１８】
ここで、前述したように第１の変圧器１２は、電源電圧を所望の電圧に変換する際、磁気ヘッド１６の位置に到達する第１の磁界（漏れ磁束）を発生する。この磁界は磁気ヘッド１６による磁気情報の読み取りに悪影響を及ぼす。よって、読み取った磁気情報にノイズ（所謂、ハムノイズ（誘導ノイズ））が混入する。
【００１９】
一方、第２の変圧器１４は、電源電圧を待機用の電圧に変換するので、第２の磁界（漏れ磁束）を発生する。なお、前述したように第１の変圧器１２及び第２の変圧器１４の一次側に電源電圧が印加されるので、第２の磁界は第１の磁界に同期して発生する。
【００２０】
ところで、図２（Ａ）には、第２の変圧器１４を配置しない場合、図２（Ｂ）には、第１の磁界と第２の磁界が重なって大きくように向きを定めて第２の変圧器１４を配置した場合、図２（Ｃ）には、第１の磁界と第２の磁界が重なって小さくなるように向きを定めて第２の変圧器１４を配置した場合の各々における磁気ヘッド１６に発生するノイズの実測値が示されている。
【００２１】
図２（Ａ）に示されているように、第２の変圧器１４を配置しない場合には、ノイズの実測値が、−３３．７ｄＢＶ（大きさを矢印Ｎ１で表している）であったものが、図２（Ｂ）に示すように、第１の磁界と第２の磁界が重なって大きくように第２の変圧器１４を配置すると、ノイズの実測値が、−２９．０ｄＢＶ（大きさを矢印Ｎ２で表している）となった。なお、図２（Ｂ）に示すように第２の変圧器１４を配置した場合がノイズが最も大きくなった。逆に、図２（Ｃ）に示すように、第１の磁界と第２の磁界が重なって小さくなるように第２の変圧器１４を配置する、即ち、図２（Ｂ）に示すように配置した第２の変圧器１４の向きと逆向きに配置すると、ノイズの実測値が、−４１．３ｄＢＶ（大きさを矢印Ｎ３で表している）となった。即ち、ノイズが最も小さくなった。
【００２２】
以上の実験結果から理解できるように、第１の磁界と第２の磁界が重なって小さくなるように向きを定めて第２の変圧器１４を配置すると、ノイズの量を少なくすることができる。
【００２３】
そこで、第２の変圧器１４を、第２の変圧器１４による第２の磁界により、第１の変圧器１２による磁気ヘッド１６の位置における第１の磁界が減少するように、向きを定めて配置している。
【００２４】
このように、磁気ヘッド１６の位置における第１の磁界を減少させる第２の磁界を発生させるので、第１の磁界の大きさが減少し、検出された磁気情報に混入するノイズを小さくすることができる。このように、第２の変圧器の向きを定めて配置することにより、磁気情報に混入するノイズを小さくしているので、第１の変圧器にシール部材を特別に配置することを不要することができる。即ち、第１の変圧器の構成を簡素化することができる。
【００２５】
また、第２の磁界を、大きさが第１の磁界の大きさの変化に対応して変化するように発生させるので、第１の磁界が変化しても第２の磁界のこれに応じて変化することになり、第１の磁界が変化に応じて、第１の磁界の大きさを減少させることができる。
【００２６】
なお、本実施の形態では、磁気ヘッドの位置における第２の磁界の大きさは磁気ヘッドの位置における第１の磁界の大きさより小さく、かつ、磁気ヘッドの位置における第２の磁界の向きは磁気ヘッドの位置における第１の磁界の向きと逆向きとしている。なお、第１の磁界を最も減少させ、ノイズの混入量を最小にするためには、磁気ヘッドの位置における第２の磁界の大きさは磁気ヘッドの位置における第１の磁界の大きさと等しく、かつ、磁気ヘッドの位置における第２の磁界の向きは磁気ヘッドの位置における第１の磁界の向きと正反対方向とするのが好ましい。なお、本実施の形態では、既に内蔵する、所謂省エネ対策用のサブトランスが発生する第２の磁界により磁気ヘッド１６の位置における第１の磁界を減少させるので、新たな変圧器等を用いないので、部品点数を少なくすることができる。
【００２７】
以上説明したように本実施の形態では、磁気ヘッドの位置における第１の磁界が減少するようにしているが、本発明はこれに限定されず、磁気情報を受信する受信回路のアンテナの位置における第１の磁界が減少するようにしてもよい。即ち、ラジオ付きカセットテープレコーダにおけるアンテナ及び磁気ヘッドの少なくとも一方の位置における第１の磁界が減少するようにしてもよい。また、カセットテープレコーダに限定されず、ラジオ単体におけるアンテナの位置における第１の磁界が減少するようにしてもよい。
【００２８】
【発明の効果】
以上説明したように請求項１記載の発明によれば、磁気ヘッドの位置に少なくとも一部が到達する第１の変圧器の磁界の大きさが減少するように第２の変圧器の磁界を発生させるので、第２の変圧器が発生する磁界により、磁気ヘッドの位置で第１の変圧器が発生する磁界を減少できるようになる。これにより、磁気情報に混入するノイズを小さくできるようになる。
【図面の簡単な説明】
【図１】本実施の形態に係るカセットテープレコーダを示した図である。
【図２】第１の変圧器と第２の変圧器との配置関係とノイズの量の実験結果を示した図である。
【符号の説明】
１０ カセットテープレコーダ（磁気ヘッドを有した再生装置）
１２ 第１の変圧器  
１４ 第２の変圧器  
１６ 磁気ヘッド  
【図１】
0003870569.tif 000002
【図２】
0003870569.tif 000003